(57)【特許請求の範囲】
【請求項１】
吊りバンド付きウエストバッグと、帯状の補助バンドとの組み合わせからなり、
前記吊りバンド付きウエストバッグが、幼児の臀部を支承可能なウエストバッグ本体と、そのウエストバッグ本体の両端に連結された腰回り装着用のウエストベルトと、一端側がそれぞれ前記ウエストバッグ本体に連結されるとともに、他端側が互いに着脱自在な長帯部材及び短帯部材からなる吊りバンドとを具備するウエストバッグ兼用ベビーホルダーであって、
前記吊りバンドをその長帯部材及び短帯部材の他端側同士を互いに連結してループ状に形成し、前記ウエストベルトを親等のバッグ使用者の腰回りに装着するとともに、前記吊りバンドをバッグ使用者の一方の肩上から他方の脇の下を通過させるように斜掛けする第１の状態と、
前記補助バンドの一端側を前記短帯部材の他端側に着脱自在に連結し、前記ウエストベルトをバッグ使用者の腰回りに装着して、前記長帯部材及び前記補助バンドをバッグ使用者の両肩上を通過させて背面位置で交差させ、かつ長帯部材及び補助バンドの各他端側を前記ウエストベルトの左右両側位置にそれぞれ着脱自在に連結する第２の状態とを実現し得るよう構成されてなることを特徴とするウエストバッグ兼用ベビーホルダー。
【請求項２】
前記ウエストベルトの左右両側位置に、連結部材収納部が設けられ、その収納部に、前記吊りバンド及び長帯部材の各他端側をそれぞれ連結するための連結部材が収納／取出し自在に取り付けられてなる請求項１記載のウエストバッグ兼用ベビーホルダー。
【発明の詳細な説明】
【０００１】
【発明の属する技術分野】
この発明は、腰回り装着タイプの小物入れとしての他、幼児を抱っこする際の補助具としても使用できるウエストバッグ兼用ベビーホルダーに関する。
【０００２】
【従来の技術】
ウエストバッグ兼用ベビーホルダーは、多機能で実用性に富む上、ファッション的にも優れているため、近年、子持ちの若い女性をターゲットとする商品として注目されている。
【０００３】
この種のベビーホルダーの一般的なものは、図１３及び図１４に示すように、両端に腰回り装着用のウエストベルト（２）が接続されたウエストバッグ本体（１）を具備し、そのバッグ本体（１）に、ループ状の吊りバンド（３）の下端が連結されている。
【０００４】
そしてこのホルダーを用いて幼児（Ｂ）を抱っこする場合、親等のバッグ使用者（Ｍ）は、バッグ本体（１）が正面中央位置から横寄りの脇腹付近に配置されるよう、ウエストベルト（２）を腰回りに装着するとともに、吊りバンド（３）を一方の肩から他方の脇の下を通すように斜掛けし、その状態で、バッグ本体（１）上に、幼児（Ｂ）を対面状に座らせるとともに、吊りバンド（３）を幼児（Ｂ）の外側に沿わせるように配置するものである。
【０００５】
一方、このベビーホルダーを単に小物入れとして使用する場合には、吊りバンド（３）をバッグ本体（１）内に収納した状態で腰回りに装着することとなる。
【０００６】
【発明が解決しようとする課題】
しかしながら、上記従来のウエストバッグ兼用ベビーホルダーは、バッグ本体（１）を正面中央位置に対し横寄りの位置に配置するものであるため、当然のことながらバッグ本体（１）上の幼児（Ｂ）を脇腹付近の横寄りの位置で抱っこすることになる。このように幼児（Ｂ）を正面中央位置で抱っこできないので、例えば腰が十分に座っていない生後間もない幼児（Ｂ）を抱っこするような場合、親等は不安感を覚え、安心して使用できないという問題が発生する。
【０００７】
一方の市販の抱っこ帯においては、幼児（Ｂ）を正面中央位置で抱っこするように構成したものがある。このような抱っこ帯は、上記のベビーホルダーとは異質のものであり、例えば小物入れ等として使用することはできない。更にこのような抱っこ帯は、幼児（Ｂ）の動きを過度に束縛することになるので、ある程度の体力や能力を備えるまで成長した幼児（Ｂ）を抱っこするのには適しておらず、そのような幼児（Ｂ）に対して使用するのは好ましくないという問題がある。
【０００８】
この発明は、上記従来技術の問題を解消し、幼児を正面位置でも、横寄りの位置でも抱っこすることができ、幼児を体力や能力等に合わせて適切な形態で抱っこすることができるウエストバッグ兼用ベビーホルダーを提供することを目的とする。
【０００９】
【課題を解決するための手段】
上記目的を達成するため、この発明は、吊りバンド付きウエストバッグと、帯状の補助バンドとの組み合わせからなり、前記吊りバンド付きウエストバッグが、幼児の臀部を支承可能なウエストバッグ本体と、そのウエストバッグ本体の両端に連結された腰回り装着用のウエストベルトと、一端側がそれぞれ前記ウエストバッグ本体に連結されるとともに、他端側が互いに着脱自在な長帯部材及び短帯部材からなる吊りバンドとを具備するウエストバッグ兼用ベビーホルダーであって、前記吊りバンドをその長帯部材及び短帯部材の他端側同士を互いに連結してループ状に形成し、前記ウエストベルトを親等のバッグ使用者の腰回りに装着するとともに、前記吊りバンドをバッグ使用者の一方の肩上から他方の脇の下を通過させるように斜掛けする第１の状態と、前記補助バンドの一端側を前記短帯部材の他端側に着脱自在に連結し、前記ウエストベルトをバッグ使用者の腰回りに装着して、前記長帯部材及び前記補助バンドをバッグ使用者の両肩上を通過させて背面位置で交差させ、かつ長帯部材及び補助バンドの各他端側を前記ウエストベルトの左右両側位置にそれぞれ着脱自在に連結する第２の状態とを実現し得るよう構成されてなるものを要旨とする。
【００１０】
本発明においては、幼児を抱っこする場合、上記第１の状態で、幼児をバッグ本体上に座らせて抱っこする横寄り抱っこの形態と、上記第２の状態で、幼児をバッグ本体上に座らせて抱っこする正面抱っこの形態との２つの形態の中から適当な形態を選択することができる。このため例えば、生後間もない幼児を抱っこする場合には、正面位置で抱っこすることにより、不安感なく安心して抱っこできる一方、ある程度成長した幼児を抱っこする場合には、幼児を過度に束縛せずに、横寄り位置で抱っこすることができる。
【００１１】
一方、本発明においては、前記ウエストベルトの左右両側位置に連結部材収納部が設けられ、その収納部内に、前記吊りバンド及び長帯部材の各他端側をそれぞれ連結するための連結部材が収納／取出し自在に取り付けられてなる構成を採用するのが好ましい。
【００１２】
すなわちこの構成を採用した場合には、連結部材を不使用時には収納部に収納しておくことにより、良好な美観を確保できる上、連結部材が、直接、身体等に触れて不快感を与えるというような不具合を確実に防止することができる。
【００１３】
【発明の実施の形態】
図１ないし図６はこの発明の実施形態であるウエストバッグ兼用ベビーホルダーを示す図である。これらの図に示すようにこのベビーホルダーは、吊りバンド付きウエストバッグ（ＷＢ）と、補助バンド（１００）との組み合わせからなるものである。
【００１４】
吊りバンド付きウエストバッグ（ＷＢ）は、ウエストバッグ本体（１０）と、ウエストバッグ本体（１０）の両端に連結されたウエストベルト（２０）と、ウエストバッグ本体（１０）に連結された吊りバンド（６０）とを備えている。
【００１５】
ウエストバッグ本体（１０）は、横長方形の背面カバー（１１）と、その上下両端に連結された上面カバー（１２）及び下面カバー（１３）と、前面及び両側面を構成する前面カバー（１４）とからなり、全体として前面側が前方に膨出した水平断面略Ｄ字状のものに形成されている。
【００１６】
上面カバー（１２）は、クッション性を向上させるべく上下一対のシート材（１２ａ）（１２ａ）の間にウレタン等からなる圧縮変形自在なクッション材（１２ｂ）を介在させたものが採用されている。
【００１７】
また前面カバー（１４）にはファスナー付きの開閉口（１５）が設けられている。この開閉口（１５）は、前面カバー（１４）の上端中央部よりやや下方位置から両側面の下部後端にかけて、アーチ状に形成されている。そして図４の想像線に示すように、ファスナーを開くと、バッグ本体（１０）の前面ほぼ全域を、下面カバー（１３）と共に、その下面カバー（１３）の後端を中心に下方に回転させることができ、上記開閉口（１５）を大きく開放することが可能となっている。これによりバッグ本体（１０）に対し、小物類の出し入れ操作や、吊りバンド（６０）及び補助バンド（１００）の出し入れ操作を容易に行えるよう構成している。
【００１８】
更に開閉口（１５）をバッグ本体（１０）前面の上端中央部よりやや下方位置に形成することによって、上面カバー（１２）の前周縁部に沿ってスカート部（１６）が形成されている。
【００１９】
バッグ本体（１０）の前面カバー（１４）の前面には、上面にファスナー付きの開閉口（１７ａ）を有する小物入れ用のポケット（１７）が設けられている。なおこのポケット（１７）は、バッグ本体（１０）の開閉口（１５）より下の領域部分において、前面カバー（１４）のほぼ全域を覆うような大きいものに形成しても良い。この場合、ポケット（１７）の開閉口（１７ａ）は、バッグ本体（１０）の開閉口（１５）に対しほぼ並行するような形に形成されることになる。
【００２０】
図４ないし図７に示すように、バッグ本体（１０）の内部には、支承部材（４０）が収納される。この支承部材（４０）は、例えばインジェクション成形等により容易に製造することができる発泡ポリスチレン等の硬質合成樹脂等からなり、上面カバー（１２）に倣う形状の座板部（４１）と、その座板部一端から下方に延びるように設けられ、背面カバー（１１）に倣う形状の腰当て部（４２）とを一体的に有する断面略倒Ｌ字状のものにより構成されている。
【００２１】
更に支承部材（４０）の腰当て部（４２）における上部中央には、吊りバンド挿通孔（４５）が形成されるとともに、下部両側には、固定用ベルト挿通孔（４６）（４６）がそれぞれ形成されている。
【００２２】
この構成の支承部材（４０）が、その座板部（４１）がバッグ本体（１０）の上面カバー（１２）に臨むように、上記スカート部（１６）内に嵌め込まれるともに、腰当て部（４２）が背面カバー（１１）に臨むようにして、バッグ本体（１０）内に収納されている。
【００２３】
更にこの収納状態において、バッグ本体（１０）の背面カバー（１１）に縫着された固定ベルト（５０）の両側部が支承部材（４０）の固定ベルト挿通孔（４６）（４６）に挿通され、そのベルト（５０）の両端部が対応面に設けられた面ファスナー（５１）で着脱自在に固定されることによって、支承部材（４０）がバッグ本体（１０）に固定されている。なお固定ベルト（５０）は、少なくとも１つあれば足りるが、もとより２つ以上設けるようにしても良い。
【００２４】
図４及び図５に示すように、バッグ本体（１０）の内部には、上記支承部材（４０）の前面側全域を覆うようにして内部カバー（７０）が配置される。この内部カバー（７０）は、上端縁がバッグ本体（１０）の上面カバー（１２）の前縁部に沿って縫着されるとともに、下端縁に沿ってゴム（７１）が縫着されており、そのゴム（７１）を支承部材（４０）の腰当て部（４２）の背面側下縁に沿って引っ掛けることによってバッグ本体（１０）内に取り付けられている。
【００２５】
また内部カバー（７０）には、上記支承部材（４０）の吊りバンド挿通孔（４５）に対応して、吊りバンド挿通孔（７５）が形成されている。
【００２６】
なお内部カバー（７０）に、例えばその前面側のほぼ全域に上方に開放するバンド収納ポケットを形成し、そのポケット内に、未使用時の吊りバンド（６０）や補助バンド（１００）を収納できるように構成しても良い。
【００２７】
ウエストベルト（２０）は、長さ調整自在に構成されており、ベルト連結及び分離を図るための連結具（３０）を有している。
【００２８】
また図７に示すように、ウエストベルト（２０）におけるバッグ本体（１０）との連結部近傍は、左右両側共に、ウエストベルト（２０）を構成する帯状部材が２重に重ね合わされる態様に形成されており、重ね合わされた帯状部材間に、連結部材収納部（２１）（２１）がそれぞれ形成されている。
【００２９】
各連結部材収納部（２１）（２１）の内部には、連結部材取付具（２２）（２２）がそれぞれ固定されている。更に各取付具（２２）（２２）の上部には、雄連結部材（２３）（２３）の基端側が枢着されており、雄連結部材（２３）（２３）を回転操作することにより、図８実線（破線）に示すように雄連結部材（２３）（２３）を連結部材収納部（２１）（２１）内に収納できるとともに、必要に応じて図８想像線に示すように、雄連結部材（２３）（２３）を連結部材収納部（２１）（２１）から上向き状態に引き出せるよう構成されている。
【００３０】
図１ないし図６に示すように吊りバンド（６０）は、帯状部材からなり、両端に互いに着脱自在な雄連結部材（６４）及び雌連結部材（６５）が取り付けられ、両連結部材（６４）（６５）を互いに連結することにより、ループ状に形成されるよう構成されている。
【００３１】
この吊りバンド（６０）は、それに縫着された当て布（６７）から雄連結部材（６４）までの短帯部材（６８）と、当て布（６７）から雌連結部材（６５）までの長帯部材（６９）とに区分けされており、短帯部材（６８）と長帯部材（６９）との間に、架け渡すようにして、補助ベルト（６６）が設けられている。
【００３２】
また当て布（６７）には、バッグ本体（１０）との連結を図るために連結帯（６１）の一端が連結されている。この連結帯（６１）は、図４及び図６等に示すように、２本の帯状部材（６１ａ）（６１ｂ）により構成されており、その一方側の帯状部材（６１ａ）が内部カバー（７０）の吊りバンド挿通孔（７５）に挿通されて、バッグ本体（１０）の上面カバー（１２）に縫着されるとともに、他方側の帯状部材（６１ｂ）が内部カバー（７０）の吊りバンド挿通孔（７５）及び支承部材（４５）の吊りバンド挿通孔（４５）に挿通されて、バッグ本体（１０）の背面カバー（１１）に縫着され、こうして吊りバンド（６０）がバッグ本体（１０）に連結されている。
【００３３】
なお長帯部材（６９）端部の雌連結部材（６５）は、短帯部材（６８）端部の雄連結部材（６４）の他に、上記ウエストベルト（２０）に設けれた雄連結部材（２３）に対しても着脱できるよう構成されている。
【００３４】
図１及び図３に示すように補助バンド（１００）は、吊りバンド（６０）の雄連結部材（６４）及びウエストベルト（２０）の雄連結部材（２３）のいずれに対しても、着脱自在な雌連結部材（１０１）が取り付けられている。
【００３５】
本実施形態のウエストバッグ兼用ベビーホルダーは、以上のように構成されており、幼児を、以下に説明するような２つの形態で抱っこすることができる。
【００３６】
１つ目の形態としては、図１、図９ないし図１１に示すように、バッグ本体（１０）を腹部中央の正面位置に配置させるようにして、ウエストベルト（２０）を腰回りに装着する。続いてウエストベルト（２０）の両側部に設けられた雄連結部材（２３）（２３）をそれぞれ図８想像線に示すように上向き状態に引き出しておき、吊りバンド（６０）の右側に対応する長帯部材（６９）を親等のバッグ使用者（Ｍ）の右肩上から左脇腹にかけて配置し、長帯部材（６９）端部の雌連結部材（６５）を、ウエストベルト（２０）の左側の雄連結部材（２３）に連結する。更に吊りバンド（６０）の左側に対応する短帯部材（６８）の雄連結部材（６４）に、補助バンド（１００）一端の雌連結部材（１０１）を連結するとともに、その補助バンド（１００）を、上記長帯部材（６９）に対し背面部でＸ状に交差せるようにバッグ使用者（Ｍ）の左肩上から右脇腹にかけて配置し、補助バンド（１００）他端の雌連結部材（１０１）を、ウエストベルト（２０）の右側の雄連結部材（２３）に連結する。
【００３７】
そしてこの状態（第２の状態）において、バッグ本体（１０）上に幼児（Ｂ）を対面状に座らせるとともに、吊りバンド（６０）の長帯部材（６９）及び補助バンド（１００）を幼児（Ｂ）の外側に沿わせるように配置するものである。
【００３８】
この正面抱っこの形態においては、幼児（Ｂ）をバッグ使用者（Ｂ）の正面中央位置に配置できるので、生後間もない幼児（Ｂ）であっても、不安感なく安心して抱っこすることができる。更にこの正面抱っこの形態においては、幼児（Ｂ）の荷重を両肩で均等に分散して支えることができるので、負担が軽減され、長時間抱っこすることが可能となる。
【００３９】
一方、２つ目の形態で抱っこする場合、補助バンド（１００）は使用しないので、補助バンド（１００）をバッグ本体（１０）内に収納する等して、しまっておく。更にウエストベルト（２０）両側の雄連結部材（２３）（２３）をそれぞれ雄連結部材収納部（２１）（２１）内に収納するとともに、吊りバンド（６０）をその雄連結部材（６４）及び雌連結部材（６５）を互いに連結してループ状に形成しておく。この状態で、図２及び図１２に示すようにバッグ本体（１０）を正面位置から横寄りの脇腹付近に配置させるようにして、ウエストベルト（２０）を腰回りに装着し、更に吊りバンド（６０）を一方の肩から他方の脇の下を通すように斜掛けする。
【００４０】
そしてその状態（第１の状態）で、上記従来と同様に、バッグ本体（１０）上に、幼児（Ｂ）を対面状に座らせるとともに、吊りバンド（６０）を幼児（Ｂ）の外側に沿わせるように配置するものである。
【００４１】
この横寄り抱っこの形態においては、幼児（Ｂ）を過度に束縛するものではないので、ある程度の体力や能力を備えるまで成長した幼児（Ｂ）を、不具合なく抱っこすることができる。
【００４２】
またウエストベルト（２０）に設けられる雄連結部材（２３）（２３）は、それぞれ収納部（２１）（２１）内に収納されているため、良好な美観を確保できる上、連結部材（２３）（２３）が、直接、身体等に触れて不快感を与えるような不具合を確実に防止することができる。
【００４３】
なお言うまでもなく、本実施形態においては、ウエストベルト（２０）、吊りバンド（６０）の長帯部材（６９）、補助バンド（１００）はそれぞれ長さ調整自在に構成しており、それらの長さを適当に調整することにより、使用者（Ｍ）に正確に装着することができる。
【００４４】
一方、本実施形態のベビーホルダーを、単にウエストバッグとして使用する際には、吊りバンド（６０）及び補助バンド（１００）をバッグ本体（１０）内に収納しておき、その状態でバッグ本体（１０）を腰部に沿わせるように配置して、ウエストベルト（２０）を腰回りに装着することになる。また上記従来と同様で、この状態のまま、幼児（Ｂ）をバッグ本体（１０）上に座らせて抱っこすることも可能である。
【００４５】
なお、本発明において、上記各連結部材（２３）（６４）（６５）（１０１）等は、上記のものだけに限られず、それぞれ所定位置に着脱できるものであればどのような構成のものを採用しても良い。
【００４６】
【発明の効果】
以上のように、本発明のウエストバッグ兼用ベビーホルダーによれば、吊りバンドをその長帯部材及び短帯部材の他端側を互いに連結してループ状に形成し、バッグ本体を脇腹付近の横寄りの位置に配置させるようにウエストベルトを装着するとともに、吊りバンドをバッグ使用者の一方の肩上から他方の脇の下を通過させるように斜掛けし、その状態で幼児をバッグ本体上に座らせて抱っこする横寄り抱っこの形態と、補助バンドの一端側を短帯部材の他端側に連結し、バッグ本体を腹部中央の正面位置に配置させるようにウエストベルトを装着するとともに、長帯部材及び補助バンドを両肩上を通過させて背面位置で交差させ、かつ長帯部材及び補助バンドの他端側をウエストベルトの左右両側位置にそれぞれ連結し、その状態で幼児をバッグ本体上に座らせて抱っこする正面抱っこの形態との２つの形態の中から適当な形態を選択することができる。このため例えば、生後間もない幼児を抱っこする場合には、正面位置で抱っこすることにより、不安感なく安心して抱っこできる一方、ある程度成長した幼児を抱っこする場合には、幼児を過度に束縛せずに、横寄り位置で抱っこすることができ、幼児の体力や能力等に合わせて適切な形態で抱っこすることができるという効果がある。
【００４７】
本発明において、ウエストベルトの左右両側位置に設けられた連結部材収納部に、吊りバンド及び長帯部材の各他端側を連結するための連結部材が収納／取出し自在に取り付けられてなる構成を採用する場合には、連結部材を不使用時には収納部に収納しておくことにより、良好な美観を得ることができる上、連結部材が、直接、身体等に触れて不快感を与えるような不具合を確実に防止できるという利点がある。
【図面の簡単な説明】
【図１】この発明の実施形態であるウエストバッグ兼用ベビーホルダーを正面抱っこ可能状態で示す斜視図である。
【図２】実施形態のベビーホルダーを横寄り抱っこ可能状態で示す斜視図である。
【図３】実施形態のベビーホルダーの補助バンドを示す斜視図である。
【図４】図２のIV−IV線断面図である。
【図５】実施形態のベビーホルダーにおけるバッグ本体を開口させた状態で示す斜視図である。
【図６】実施形態のバッグ本体を開口させて支承部材を取り出した状態で示す斜視図である。
【図７】実施形態のバッグ本体に収納された支承部材を示す斜視図である。
【図８】実施形態のベビーホルダーにおけるウエストベルトの雄連結部材周辺を示す斜視図である。
【図９】実施形態のベビーホルダーにおける正面抱っこ状態での装着例を示す斜視図である。
【図１０】実施形態のベビーホルダーにおける正面抱っこ状態での装着例を示す正面図である。
【図１１】実施形態のベビーホルダーにおける正面抱っこ状態での装着例を示す背面図である。
【図１２】実施形態のベビーホルダーにおける横寄り抱っこ状態での装着例を示す斜視図である。
【図１３】従来のウエストバッグ兼用ベビーホルダーの装着例を示す正面図である。
【図１４】従来のベビーホルダーの装着例を示す側面図である。
【符号の説明】
１０…ウエストバッグ本体
２０…ウエストベルト
２１…連結部材収納部
２３…雄連結部材
６０…吊りバンド
６８…短帯部材
６９…長帯部材
１００…補助バンド
Ｂ…幼児
Ｍ…バッグ使用者
ＷＢ…吊りバンド付きウエストバッグ
【図１】
0003725610.tif 000002
【図２】
0003725610.tif 000003
【図３】
0003725610.tif 000004
【図４】
0003725610.tif 000005
【図５】
0003725610.tif 000006
【図６】
0003725610.tif 000007
【図７】
0003725610.tif 000008
【図８】
0003725610.tif 000009
【図９】
0003725610.tif 000010
【図１０】
0003725610.tif 000011
【図１１】
0003725610.tif 000012
【図１２】
0003725610.tif 000013
【図１３】
0003725610.tif 000014
【図１４】
0003725610.tif 000015